(57)【特許請求の範囲】
【請求項１】
本体に回転操作可能に取り付けたダイヤルのクリック構造において、
前記本体と前記ダイヤルのいずれか一方に、前記ダイヤルの回転方向に延びる弾性片を設けて該弾性片に凸部を形成し、他方に、前記ダイヤルの軸を中心とする円弧上に複数の突起を形成して、前記ダイヤルを回転させたときに前記弾性片の凸部が前記複数の突起を乗り越えるようにし、前記複数の突起の最も外側の突起の近傍に、前記ダイヤルの回りすぎを防止するストッパを形成したことを特徴とするダイヤルクリック構造。
【請求項２】
前記凸部は前記本体に設けられ、前記複数の突起は前記ダイヤルに設けられ、
前記ストッパは、前記ダイヤルの複数の突起の最も外側の突起の近傍に設けた１対の係止片と、前記１対の係止片が当接する前記支持部材に設けた１対のストッパとからなることを特徴とする請求項１に記載のダイヤルクリック構造。
【請求項３】
前記本体は、前記ダイヤルを支持する支持部材からなり、
前記支持部材に円弧状のスリットを形成して該スリットに沿って前記弾性片を形成したことを特徴とする請求項１又は２に記載のダイヤルクリック構造。
【請求項４】
前記支持部材が前記ダイヤルの位置を示す目盛り板であることを特徴とする請求項３に記載のダイヤルクリック構造。
【発明の詳細な説明】
【技術分野】
【０００１】
本発明はトースターの焼き色調節ダイヤル等、家庭用の各種電気製品のダイヤルクリック構造に関する。
【背景技術】
【０００２】
従来、例えば家庭用のトースターでは、特許文献１に示すように、ヒータの抵抗値を変化させてトーストの焼き色を調節するための焼き色調節ダイヤルが設けられている。この焼き色調節ダイヤルは、目盛りがあるものの、どの位置にも停止できるので、正確な焼き色に設定しにくいという問題があった。
【特許文献１】特開２００１−１７８６３２号公報
【発明の開示】
【発明が解決しようとする課題】
【０００３】
本発明は前記問題点に鑑みてなされたもので、ダイヤルにクリック感をもたせてダイヤルを目盛りの位置に正確に合わせることができるダイヤルクリック構造を提供することを課題とする。
【課題を解決するための手段】
【０００４】
前記課題を解決するための手段として、本発明は、
本体に回転操作可能に取り付けたダイヤルのクリック構造において、
前記本体と前記ダイヤルのいずれか一方に、前記ダイヤルの回転方向に延びる弾性片を設けて該弾性片に凸部を形成し、他方に、前記ダイヤルの軸を中心とする円弧上に複数の突起を形成して、前記ダイヤルを回転させたときに前記弾性片の凸部が前記複数の突起を乗り越えるようにし、前記複数の突起の最も外側の突起の近傍に、前記ダイヤルの回りすぎを防止するストッパを形成したものである。
【０００５】
前記本体は、前記ダイヤルを支持する支持部材からなり、
前記支持部材に円弧状のスリットを形成して該スリットに沿って前記弾性片を形成することが好ましい。このようにすると、弾性片を容易に形成することができる。
【０００７】
前記支持部材が前記ダイヤルの位置を示す目盛り板であることが好ましい。
【発明の効果】
【０００８】
本発明によれば、ダイヤルを回転させたときに弾性片の凸部が複数の突起を乗り越えるのでクリック感が得られ、その位置で正確にダイヤルを停止させることができる。
また、弾性片がダイヤルの回転方向に延びているので、弾性片の凸部が複数の突起を乗り越えて突起間に係止する際に弾性片が捩れることなく撓み、滑らかなクリック感が得られる。
【発明を実施するための最良の形態】
【０００９】
以下、本発明の実施の形態を添付図面に従って説明する。
【００１０】
図１〜４は本発明に係るダイヤルクリック構造を適用したトースター１の全体斜視図、平面図、正面図、背面図を示す。このトースター１は、胴本体２、底体３、天板４、パネル５及び背板６とからなっている。
【００１１】
胴本体２は、略楕円の筒形で、正面と背面には下端から逆Ｕ字形に切り欠くことで開口部７ａ，７ｂが形成されている。胴本体２の内部には、図示しないヒータを備えた２つの焼成室が形成されている。底体３は、アルミ又はアルミ合金からなる皿形で、胴本体２の下端に取り付けられている。底体３には、前記焼成室が固定されている。天板４は、胴本体２の上端に取り付けられ、パンの挿入口となるスロット８が２つ形成されている。
【００１２】
パネル５は、前記胴本体２の正面の開口部７ａに取り付けられ、開口部７ａの上縁と底体３の間に挟持されている。パネル５には、中央に上下方向に延びるスリット９が形成され、該スリット９からパンの昇降レバー１０が突出している。スリット９の右側には、１枚／２枚選択、冷凍、取消の各種モードスイッチ１１ａ，１１ｂ，１１ｃと、それらが選択されたことを示す表示ランプ１２ａ，１２ｂ，１２ｃが取り付けられている。パネル５の下端には切欠き１３が形成され、該切欠き１３から焼き色調節ダイヤル１４が突出し、トースター１が載置される床面に対し水平に回転操作可能に取り付けられている。パネル５の上端には、外方に突出する把手１５が形成されている。背板６は、パネル５におけるスリット９、昇降レバー１０、各種スイッチ１１ａ，１１ｂ，１１ｃ、ランプ１２ａ，１２ｂ，１２ｃ及び切欠き１３が無い以外は、前記パネル５と同一の形状を有し、前記パネルと同様に取り付けられている。
【００１３】
図５は、前記焼き色調節ダイヤル（以下、単にダイヤルという。）１４の取付構造の構成部品である、ダイヤル１４、底体３、基板ホルダ１６、基板１７、軸１８、目盛り板１９を示す。
【００１４】
ダイヤル１４は、図６に示すように、円板形で、外周には多数のノッチ２０が形成されている。ダイヤル１４の上面には円形の窪み２１が形成されている。窪み２１の中心には目盛り板１９を取り付けるために先端に爪２２を有する４つの弾性突片２３が突設されている。窪み２１の外周部には、ダイヤル１４の軸心を中心とする円弧上に４つの突起２４が等間隔で配置されている。最も端に位置する突起２４の近傍には、１対の係止片２５が放射状に形成されている。ダイヤル１４の下面には、円形の窪み２６と、該窪み２６の外側に環状の係合凹部２７が形成されている。窪み２６の中心には、突部２８が形成され、該突部２８に不等辺五角形（正確には、正方形の１辺が三角形に突出した形状）の凹部２９が形成されている。この凹部２９の形状は、不等辺五角形に限らず、後述する軸１８が一体回転可能な形状であればよく、さらに好ましくは、後述する軸１８が一方向にしか係合できない形状である。なお。ダイヤル１４には、後述する目盛り板の目盛りに合わせる図示しない指標が設けられている。
【００１５】
底体３には、図７に示すように、前側上端縁から前方に水平に突出する略半円形状の突出部３０が形成されている。突出部３０の縁には円弧状の被係合凸部３１が形成されている。この被係合凸部３１の両端は、底体３内にある点を中心として略２７０°にわたって底体３の内側まで延びている。円弧状の被係合凸部３１の周方向の長さは、１８０°より大きければよい。１８０°以下では、被係合凸部３１にダイヤル１４を載せた際にダイヤル１４が傾くからである。
【００１６】
基板ホルダ１６は、前記底体３の前側部分にねじ止めされている。基板ホルダ１６の前側縁は、前記底体３の円弧状の被係合凸部３１の両端間に位置する張出部３２を有し、この張出部３２に後述する軸１８が係合する環状リブ状の軸受部３３が形成されている。
【００１７】
基板１７は、前記基板ホルダ１６に取り付けられ、前記基板ホルダ１６の軸受部３３と対応する位置に焼き色調節用のボリューム３４が実装されている。
【００１８】
軸１８は、図８に示すように、本体部３５とその第１端である上端に位置する頭部３６からなっている。本体部３５は前記基板１７のボリューム３４を貫通し係合するＤ字形の横断面形状を有し、その第２端である下端は前記基板ホルダ１６の軸受部３３に回転可能に係合するようになっている。頭部３６は不等辺五角形の断面形状を有し、前記ダイヤル１４の不等辺五角形の凹部２９に係合して当該ダイヤル１４と一体回転するようになっている。頭部３６の頂面には、成形時のひけ防止用の穴３９が形成されている。
【００１９】
目盛り板１９は、前記ダイヤル１４の押さえ部材であり、本発明のダイヤルクリック構造の本体となるもので、図９に示すように、円板状で、その対向する位置に一対の取付アーム３８ａ，３８ｂを有し、この取付アーム３８ａ，３８ｂが前記底板３にねじ止めされている。目盛り板１９の中心には上面および下面から上下方向に突出する突出部３９を有し、該突出部３９に貫通孔４０が設けられている。また、目盛り板１９の軸芯を中心とする円弧状のスリット４１を形成することで、該スリット４１の外側に弾性片４２が設けられている。弾性片４２の中央下面には半球状の凸部４３が形成されている。目盛り板１９の裏面には、前記突出部３９の外周面から放射状に延びる１対のストッパ４４ａ，４４ｂと該１対のストッパ４４ａ，４４ｂの先端を結ぶ円弧状のリブ４５が形成されている。目盛り板１９の弾性片４２と反対側の上面には、前記ダイヤル１４の指標が合わせられる図示しない目盛りが設けられるようになっている。
【００２０】
次に、前記構成からなるダイヤルクリック構造によるダイヤル１４の取付手順及びその作用を説明する。
【００２１】
前記ダイヤル１４を取り付けるには、まず、ボリューム３４を実装した基板１７を基板ホルダ１６に保持し、該基板ホルダ１６を底板３の所定の位置にねじ止めして取り付ける。次に、軸１８の本体部３５の下端をボリューム３４に挿入して基板ホルダ１６の軸受部３３に係合する。そして、ダイヤル１４の係合凹部２７が底体３の被係合凸部３１に係合するようにダイヤル１４を載置し、ダイヤル１４の凹部２９を軸１８の頭部３６に係合する。このとき、ダイヤル１４の凹部２９と軸１８の頭部３６はともに不等辺五角形であるので、軸１８は一方向にしか係合することができない。このため、軸１８の本体部３５が係合するボリューム３４の回転方向位置とダイヤル１４の回転方向位置は１位置で対応する。最後に、目盛り板１９の貫通孔４０にダイヤル１４の４つの弾性突片２３が挿入されるようにして、目盛り板１９をダイヤル１４に装着するとともに、取付アーム３８ａ，３８ｂを底体３の所定の位置にねじ止めにより取り付ける。これにより、ダイヤル１４の中心部は、軸１８の頭部３６と目盛り板１９とで挟み込まれて支持される。このため、ダイヤル１４を回転操作すると、その回転力はダイヤル１４の凹部２９と軸１８の頭部３６の係合を介して軸１８に伝達される。これにより、軸１８が回転し、ボリューム３４が可変される。
【００２２】
前記ダイヤル取付構造では、ダイヤル１４はその係合凹部２７が底体３の被係合凸部３１に回転可能に支持され、軸１８はダイヤル１４と別体で、その頭部３６がダイヤル１４の凹部２９に一体回転可能に、しかも、水平，垂直方向に隙間を持って係合しているだけである。このため、図１０中矢印Ｐ１に示すように、ダイヤル１４に軸１８に垂直な外力が加わっても、外力はダイヤル１４の係合凹部２７から底体３の被係合凸部３１に伝達されるが、軸１８には伝達されることはない。また、図１０中矢印Ｐ２で示すように、外力はダイヤル１４の係合凹部２７から底体３の被係合凸部３１に伝達されるが、軸１８には伝達されない。したがって、このような外力が作用しても、軸１８が破損することはない
【００２３】
前記ダイヤル１４は、目盛り板１９の弾性片４２の凸部４３とダイヤル１４の複数の突起２４とからなるクリック構造を有する。ダイヤル１４を回転操作すると、目盛り板１９の弾性片４２の凸部４３がダイヤル１４の複数の突起２４を乗り越えて突起２４間に係止する際にクリック感が得られるので、その位置で正確にダイヤル１４を停止させることができ、焼き色を正確に設定することができる。また、目盛り板１９の弾性片４２はダイヤル１４の回転方向に延びているので、弾性片４２の凸部４３が複数の突起２４を乗り越える際に弾性片４２が捩れることなく撓み、滑らかなクリック感が得られる。
【００２４】
また、ダイヤル１４を左右いずれかの方向に回してゆき、弾性片４２の凸部４３がダイヤル１４の複数の突起２４の最後のものを乗り越えると、ダイヤル１４の係止片２５が目盛り板１９のストッパ４４ａ，４４ｂに当接するので、ダイヤル１４の回りすぎが防止される。
【００２５】
なお、前記実施形態では、軸１８を垂直方向に設けてダイヤル１４を水平方向に回転操作するようにしたが、軸１８を水平に設けてダイヤル１４を垂直方向に回転操作するようにしてもよい。
【００２６】
また、前記ダイヤル取付構造では、係合凹部２７をダイヤル１４に設け、被係合凸部３１を底体３に設けたが、これと逆に、係合凸部をダイヤル１４に設け、被係合凹部を底体３に設けてもよい。
【００２７】
また、前記ダイヤルクリック構造では、弾性片４２を目盛り板１９に設け、複数の突起２４をダイヤルに設けたが、これと逆に、弾性片をダイヤル１４に設け、複数の突部を目盛り板１９に設けてもよい。
【図面の簡単な説明】
【００２８】
【図１】本発明のダイヤルクリック構造を適用したトースターの全体斜視図。
【図２】図１のトースターの平面図。
【図３】図１のトースターの正面図。
【図４】図１のトースターの背面図。
【図５】ダイヤル取付構造を示す分解斜視図。
【図６】ダイヤルの平面図（ａ）、正面図（ｂ）、底面図（ｃ）。
【図７】底体の一部平面図（ａ）及び一部正面図（ｃ）。
【図８】軸の平面図（ａ）、正面断面図（ｂ）、底面図（ｃ）。
【図９】目盛り板の平面図（ａ）、正面図（ｂ）、底面図（ｃ）、（ａ）のＡ−Ａ線断面図（ｄ）。
【図１０】ダイヤルクリック構造を示す断面図。
【符号の説明】
【００２９】
３  底体（本体）
１４  焼き色調節ダイヤル
１８  軸
１９  目盛り板（支持部材）
２４  突起
４１  スリット
４２  弾性片
４３  凸部
４４ａ，４４ｂ  ストッパ
【図１】
0004607050.tif 000002
【図２】
0004607050.tif 000003
【図３】
0004607050.tif 000004
【図４】
0004607050.tif 000005
【図５】
0004607050.tif 000006
【図６】
0004607050.tif 000007
【図７】
0004607050.tif 000008
【図８】
0004607050.tif 000009
【図９】
0004607050.tif 000010
【図１０】
0004607050.tif 000011